(57)【要約】【解決手段】携帯電話機は、そのパーソナル・エリア・ネットワーク（ＰＡＮ）内の全ての携帯電話機及び電子アイデンティファイア（例えば、キー・フォブ）を検出するパーソナル・エリア・ネットワーク（ＰＡＮ）検出メカニズムを備える。携帯電話機にバディー・リストが含まれる。例えばキー・フォブから、電子アイデンティファイアが検出されたけれども、それに対応する携帯電話機が検出されなければ、その電話機が別の電話機のためにコールを受け取ることができるとプロキシ信号メカニズムが無線電話ネットワークに信号する。それに応じて、無線電話ネットワークは、その別の電話機に向けられたコールを代わりにプロキシ電話機へ経路指定する。この様にして電話機は、デバイスがＰＡＮに入り、また去るときに自動的に機能を切り替えることができる。【選択図】図５
2008546334.tif 000002
【特許請求の範囲】
【請求項１】
携帯電話機であって、前記携帯電話機は、
無線インターフェースを介して、前記電話機の物理的近傍に存するデバイスを検出する検出メカニズムと、
前記検出メカニズムに結合されて、前記検出メカニズムにより検出されたデバイスに対応する第２携帯電話機に向けられたコールを前記携帯電話機へ経路指定するメッセージを無線電話ネットワークに送るプロキシ・メカニズムと、
を含むことを特徴とする携帯電話機。
【請求項２】
前記検出メカニズムは、人に対応する電子アイデンティファイアを送る少なくとも１つのデバイスを検出することを特徴とする請求項１に記載の携帯電話機。
【請求項３】
前記検出メカニズムは、人に対応する電子アイデンティファイアを送るデバイスに対応する少なくとも１つの電話機を検出することを特徴とする請求項２に記載の携帯電話機。
【請求項４】
前記プロキシ・メカニズムは、電子アイデンティファイアを送るデバイスと、対応する電話機とをリストしたバディー・リストを含むことを特徴とする請求項１に記載の携帯電話機。
【請求項５】
もし前記検出メカニズムが前記バディー・リスト中の電子アイデンティファイアを検出したけれども前記バディー・リスト中の対応する第２携帯電話機を検出しなかったならば、前記プロキシ・メカニズムは前記第２携帯電話機に向けられたコールを前記携帯電話機へ経路指定するように前記無線電話ネットワークに指示するプロキシ信号を前記無線電話ネットワークに送ることを特徴とする請求項４に記載の携帯電話機。
【請求項６】
前記プロキシ・メカニズムは、前記携帯電話機へ経路指定されているコールが当初は検出されなかった対応する携帯電話機へ向けられていたコールであるときに前記無線電話ネットワークからプロキシ・コール信号を受信するプロキシ・コール通知メカニズムを含むことを特徴とする請求項１に記載の携帯電話機。
【請求項７】
前記プロキシ・コール通知メカニズムは、前記携帯電話機へ経路指定されているコールが当初は前記第２携帯電話機に向けられていたコールであるときにユーザに通知を提供することを特徴とする請求項６に記載の携帯電話機。
【請求項８】
検出されたデバイスが前記携帯電話機の前記物理的近傍から去るとき、前記プロキシ・メカニズムは対応する携帯電話機に向けられたコールが前記携帯電話機へ経路指定されているか否か判定し、もし肯定であれば、前記プロキシ・メカニズムは、検出されていない対応する電話機に向けられたコールを最早前記携帯電話機へ経路指定しないように前記無線電話ネットワークに信号を送ることを特徴とする請求項１に記載の携帯電話機。
【請求項９】
前記プロキシ・メカニズムは、バディーに対して前記バディーを前記バディー・リストに加えることを承認するように要求するバディー確認メカニズムを更に含むことを特徴とする請求項１に記載の携帯電話機。
【請求項１０】
携帯電話機であって、前記携帯電話機は、
パーソナル・エリア・ネットワーク（ＰＡＮ）検出メカニズムであって、前記携帯電話機に充分に近い物理的近傍に存するデバイスが前記ＰＡＮの中にあることを無線インターフェースを介して検出するパーソナル・エリア・ネットワーク（ＰＡＮ）検出メカニズムと、
前記ＰＡＮ検出メカニズムに結合されたプロキシ・メカニズムとを含んでおり、前記プロキシ・メカニズムは、
前記ＰＡＮ検出メカニズムによって検出され得る二次的なデバイスと、前記ＰＡＮ検出メカニズムによって検出され得る対応する電話機とをリストしたバディー・リストと、
もし前記ＰＡＮ検出メカニズムが前記バディー・リスト中の二次的なデバイスを検出したけれども対応する第２携帯電話機を検出しなかったならばその第２携帯電話機に向けられたコールを前記携帯電話機へ経路指定するように前記無線電話ネットワークに指示するプロキシ信号を前記無線電話ネットワークに送るプロキシ信号メカニズムとを含むことを特徴とする携帯電話機。
【請求項１１】
前記プロキシ・メカニズムは、前記携帯電話機へ経路指定されているコールが当初は検出されなかった対応する携帯電話機へ向けられていたコールであるときに前記無線電話ネットワークからプロキシ・コール信号を受信するプロキシ・コール通知メカニズムを更に含むことを特徴とする請求項１０に記載の携帯電話機。
【請求項１２】
前記プロキシ・コール通知メカニズムは、前記携帯電話機へ経路指定されているコールが当初は前記第２携帯電話機に向けられていたコールであるときにユーザに通知を提供することを特徴とする請求項１１に記載の携帯電話機。
【請求項１３】
前記プロキシ・メカニズムは、
キー・フォブ・デバイスに対応する人に対して対応する二次的デバイスを前記バディー・リストに加えることを承認するように要求するバディー確認メカニズムを更に含むことを特徴とする請求項１０に記載の携帯電話機。
【請求項１４】
検出されたデバイスが前記携帯電話機の前記物理的近傍から去るとき、前記プロキシ・メカニズムは第２携帯電話機に向けられたコールが前記携帯電話機へ経路指定されているか否か判定し、もし肯定であれば、前記プロキシ・メカニズムは前記第２携帯電話機に向けられたコールを最早前記携帯電話機へ経路指定しないように前記無線電話ネットワークに信号を送ることを特徴とする請求項１０に記載の携帯電話機。
【請求項１５】
電話システムであって、前記電話システムは、
コールを経路指定するためのルータを含む無線電話ネットワークであって、前記ルータが、第１携帯電話機からメッセージを受信するプロキシ・ルータを含んでおり、前記メッセージに応答して前記プロキシ・ルータが第２携帯電話機に向けられたコールを前記第１携帯電話機へ経路指定する無線電話ネットワークと、
前記第２携帯電話機に向けられたコールが前記第１携帯電話機へ経路指定されるときに信号を前記第１携帯電話機に送るプロキシ・コール信号メカニズムと、
を含むことを特徴とする電話システム。
【請求項１６】
電話システムであって、
（Ａ）  前記電話システムは第１携帯電話機を含み、前記第１携帯電話機は、
パーソナル・エリア・ネットワーク（ＰＡＮ）検出メカニズムであって、前記第１携帯電話機に充分に近い物理的近傍に存するデバイスが前記ＰＡＮの中にあることを無線インターフェースを介して検出するパーソナル・エリア・ネットワーク（ＰＡＮ）検出メカニズムと、
前記ＰＡＮ検出メカニズムに結合されたプロキシ・メカニズムとを含んでおり、前記プロキシ・メカニズムは、
前記ＰＡＮ検出メカニズムによって検出され得るキー・フォブ・デバイスと、前記ＰＡＮ検出メカニズムによって検出され得る対応する電話機とをリストしたバディー・リストと、
もし前記ＰＡＮ検出メカニズムが前記バディー・リスト中のキー・フォブ・デバイスを検出したけれども対応する第２携帯電話機を検出しなかったならばその第２携帯電話機に向けられたコールを前記携帯電話機へ経路指定するように前記無線電話ネットワークに指示するプロキシ信号を前記無線電話ネットワークに送るプロキシ信号メカニズムとを含んでおり、
（Ｂ）  前記電話システムは、人についての電子アイデンティファイアを含む少なくとも１つのキー・フォブ・デバイスを含み、前記キー・フォブ・デバイスは前記ＰＡＮ検出メカニズムによって検出され得、
（Ｃ）  前記電話システムは第２携帯電話機を含み、前記第２携帯電話機は、
前記ＰＡＮ検出メカニズムによって検出され得る前記第２携帯電話機についての電子アイデンティファイアを送るメカニズムを含んでおり、
（Ｄ）  前記無線電話ネットワークは、前記第１携帯電話機内の前記プロキシ信号メカニズムからのメッセージを受信し、これに応答して、前記第２携帯電話機に向けられたコールを前記第１携帯電話機へ経路指定することを特徴とする電話システム。
【請求項１７】
前記第１携帯電話機内の前記プロキシ・メカニズムは、
前記第１携帯電話機へ経路指定されているコールが当初は前記第２携帯電話機へ向けられていたコールであるときに前記無線電話ネットワークからプロキシ・コール信号を受信するプロキシ・コール通知メカニズムを更に含むことを特徴とする請求項１６に記載の電話システム。
【請求項１８】
前記プロキシ・コール通知メカニズムは、前記携帯電話機へ経路指定されているコールが当初は前記第２携帯電話機に向けられていたコールであるときにユーザに通知を提供することを特徴とする請求項１７に記載の電話システム。
【請求項１９】
前記第１携帯電話機内の前記プロキシ・メカニズムは、
キー・フォブ・デバイスに対応する人に対して対応するキー・フォブ・デバイスを前記バディー・リストに加えることを承認するように要求するバディー確認メカニズムを更に含むことを特徴とする請求項１６に記載の電話システム。
【請求項２０】
検出されたデバイスが前記携帯電話機の前記物理的近傍から去るとき、前記第１携帯電話機内の前記プロキシ・メカニズムは第２携帯電話機に向けられたコールが前記携帯電話機へ経路指定されているか否か判定し、もし肯定であれば、前記プロキシ・メカニズムは前記第２携帯電話機に向けられたコールを最早前記携帯電話機へ経路指定しないように前記無線電話ネットワークに信号を送ることを特徴とする請求項１６に記載の電話システム。
【発明の詳細な説明】
【技術分野】
【０００１】
本発明は、一般的には電話システムに関し、特に携帯電話機に関する。
【背景技術】
【０００２】
アレグザンダー・グレアム・ベルが『ワトソンさん、こちらにいらっしゃい、私は貴方に会いたい』という有名な言葉を述べて以来、電話は現代生活の必需品に発展した。陸上設置（ｌａｎｄ−ｂａｓｅｄ）電話は、最も一般的であって、米国では数十年前から殆どの家及び会社に見出されている。近頃、無線電話機がはやってきている。無線電話機は、セルラ電話機、デジタル電話機、衛星電話機などを含む。本書での検討の目的上、“携帯電話機”という用語は、現在知られている或いは将来開発されるあらゆるタイプの無線電話機に適用される。
【発明の開示】
【発明が解決しようとする課題】
【０００３】
携帯電話機は便利であるが、明確な欠点もある。もし人が不注意で、それを携帯するのを忘れるならば、携帯電話機を持つことは全く何の役にも立たない。例えば、或る人が店に入っていくときに自分の電話機を自分の車の中に置き忘れたならば、電話のコールがどんなに緊急のコールであっても、その人は自分の電話機のところに戻って自分の音声メールをチェックするまでは待つこと以外にできることは何もない。携帯電話機は、電池が切れたときにも役に立たなくなる。電池が切れていれば、その人は、それがどんなに重要なコールであるか知れなくても、自分のコールを受ける手段を持っていない。携帯電話機ユーザが、自分の移動電話機を持っていなかったり或いは自分の移動電話機がオンになっていないときでもコールを受け取る方法を持っていなければ、携帯電話機のユーザは、自分の携帯電話機があるべきところになかったり作動していなかったりしたときに受け損なったコールから不利益をこうむり続けるであろう。
【課題を解決するための手段】
【０００４】
好ましい実施態様によれば、携帯電話機は、そのパーソナル・エリア・ネットワーク（ＰＡＮ）内の全ての携帯電話機及び電子アイデンティファイア（ｅｌｅｃｔｒｏｎｉｃ  ｉｄｅｎｔｉｆｉｅｒ）（例えば、キー・フォブ（ｋｅｙ  ｆｏｂ））を検出するパーソナル・エリア・ネットワーク（ＰＡＮ）検出メカニズムを備える。携帯電話機にバディー・リストが含まれる。例えばキー・フォブのような二次的デバイスから電子アイデンティファイアが検出されたけれども、それに対応する携帯電話機が検出されなければ、その電話機が別の電話機のためにコールを受け取ることができるとプロキシ信号メカニズムが無線電話ネットワークに信号する。それに応じて、無線電話ネットワークは、その別の電話機に向けられたコールを代わりにプロキシ電話機へ経路指定する。この様にして、好ましい実施態様に従う電話機は、その電話機のＰＡＮの中にデバイスを有するユーザに向けられたコールを、そのデバイスがその電話機のバディー・リストに含まれている限りは、受けることができる。更に、好ましい実施態様は、着信コールがバディーに向けられているものであることをプロキシ電話機に警告するプロキシ・コール通知メカニズムを電話機内に含む。これに応じて、携帯電話機は、電話機のユーザに、着信コールがバディーに向けられていることを警告する。
【０００５】
本発明の上記の及び他の特徴及び利点は、添付図面に示されている本発明の好ましい実施態様についての以下の具体的な記述から明らかとなろう。
【０００６】
本発明の好ましい実施態様が以下で添付図面と関連して記述され、そこで同様の名称は同様の要素を示す。
【発明を実施するための最良の形態】
【０００７】
携帯電話機は人々の通信能力を大いに向上させた。遺憾ながら、知られている携帯電話機は１００％信頼できるものではなくて、電話機が望みどおりに動作しないときにはいらいらと不満が生じる結果となる。電話機が紛失したり置き忘れられたりすると、どんなに重要であるかもしれないコールでも、受ける方法は無い。例えば、或る女性が自分の携帯電話を所持していても、電池が切れれば、それは、携帯していないのと同様に役に立たない。本書に記載されている好ましい実施態様は、電話機がその電話機のパーソナル・エリア・ネットワーク（ＰＡＮ）内のデバイスを検出することを可能にし、そして、もしバディーの電子アイデンティファイアがその電話機のＰＡＮの中にあるけれどもそのバディーの対応する携帯電話機は無ければ、そのバディーに向けられた全てのコールをユーザの電話機へ経路指定する信号が無線電話ネットワークに送られる。従ってユーザの電話機はそのバディーのコールのためのプロキシ電話機になり、このプロキシ電話機は両者のためのコールを受ける。
【０００８】
ここで図１を参照すると、好ましい実施態様に従う携帯電話機１００はケース１０５を含む。アンテナ１１０、キーパッド１２０、表示装置１３０、スピーカ１４０、及びマイクロフォン１５０がケース１０５の中にあり、或いはケース１０５に取り付けられている。アンテナ１１０は、電話をかけ、また電話を受けるときに携帯電話機１００がそのサービス・プロバイダと通信することを可能にするための、当該技術において知られている標準的なアンテナである。キーパッド１２０は、大抵の電話キーパッドに見られる伝統的な１０個の数字、星印、及びポンド・キーを含む。更に、キーパッド１２０は、電話をかけるための“Ｓｅｎｄ”キーと、通話を終わらせるための“Ｅｎｄ”キーと、表示装置１３０の一部をクリアするための“Ｃｌｅａｒ”キーと、表示装置１３０上でメニューを表示するための“Ｍｅｎｕ”キーと、表示装置１３０上のメニュー及びリストをスクロールするための上向き矢印及び下向き矢印のキーと、電話機１００に格納されている情報を表示するための“Ｍｅｍ”キーと（“ｍｅｍｏｒｙ（メモリ）”の略）、１０個の数字キーを数字入力からアルファベット入力に切り替える“ＡＢＣ”キーとを含む。標準的電話機上の２から０までの数字キーがアルファベット文字の殆どを含むことは当該技術において良く知られている。図面を明瞭にするために、２から０までの数字キーに関連付けられているアルファベット文字は示されていない。“ＡＢＣ”キーを押すことにより、電話機は、表示装置１３０上に表示され得るキーパッド１２０を介して電話機にテキスト情報を入力することを可能にするアルファベット入力モードに入る。図１のキーパッド１２０上のキーは例として示されており、好ましい実施態様の範囲内で、明示されていない様々なキーを代わりに用い或いは付け加えることができる。
【０００９】
表示装置１３０は、好ましくは、多様な系列の英数字表示能力を含むバックライト付き液晶表示装置（ＬＣＤ）である。スピーカ１４０は、携帯電話機のための当該技術において知られている低消費電力スピーカである。更に、マイクロフォン１５０は携帯電話機のための当該技術において知られている低消費電力マイクロフォンである。
【００１０】
図１のコンポーネントは、ケース１０５を除いて、図２のブロック図において示されている。キーパッド１２０及びマイクロフォン１５０は入力デバイスであり、表示装置１３０及びスピーカ１４０は出力デバイスであり、アンテナ１１０は入力デバイスであり且つ出力デバイスである。携帯電話機１００は、アンテナ１１０、キーパッド１２０、表示装置１３０、スピーカ１４０、及びマイクロフォン１５０に結合されたプロセッサ２１０を含む。更に、プロセッサ２１０はメモリ２３０にも結合されている。メモリ２３０は、揮発性メモリと不揮発性メモリとの任意の組み合わせを含むことができる。プロセッサ２１０は、ＰＡＮ検出メカニズム（機能）２４０とプロキシ・メカニズム（機能）２５０とを含む。ＰＡＮ検出メカニズム２４０は、電話機１００を含むパーソナル・エリア・ネットワーク（ＰＡＮ）の中のデバイスを検出する。
【００１１】
プロキシ・メカニズム２５０は、好ましくは、バディー・リスト２６０と、プロキシ信号メカニズム（機能）２７０と、プロキシ・コール通知メカニズム（機能）２８０と、バディー確認メカニズム（機能）２９０とを含む。バディー・リスト２６０は好ましくは１つ以上のバディーを明示する。バディー・リスト２６０は以下で図４に関してより詳しく説明される。
【００１２】
プロキシ信号メカニズム２７０は、電話機１００のプロキシ動作を開始または終了させるように無線電話ネットワークに指示する信号を無線電話ネットワークに送る。プロキシ・コール通知メカニズム２８０は、着信コールがバディーに向けられているときに無線電話ネットワークから信号を受け取る。バディー確認メカニズム２９０は、バディーが他の誰かのバディー・リストに加えられるためにそのバディーの同意を要求する認証メカニズムを提供する。
【００１３】
プロセッサ２１０は、キーパッド１２０、マイクロフォン１５０、ＰＡＮ検出メカニズム２４０、プロキシ・メカニズム２５０、アンテナ１１０、及びメモリ２３０から入力を得て、表示装置１３０、スピーカ１４０、アンテナ１１０、及びメモリ２３０上に適切な出力を生じさせる。図２のブロック図が従来技術の携帯電話機に関して知られている多くのコンポーネントや特徴を含んでいないことに留意すること。図２は、本発明の好ましい実施態様の完全な記述を可能にする最も一般的に知られているコンポーネント及び特徴だけを示す簡単な線図である。もちろん、携帯電話機１００は、好ましい実施態様の範囲内で、示されているものに加えて当該技術において知られている任意のコンポーネント又は特徴も包含することができる。
【００１４】
図３は、好ましい実施態様のコンセプトを説明するのに役立つシステム３００の一つのサンプル構成を示す。システム３００は、携帯電話機１００（例えば、図１及び２に示されている）、タワー３１０、無線電話ネットワーク３３０、及び有線電話ネットワーク３７０を含む。携帯電話機１００は、無線インターフェースを介してタワー３１０に通信する。タワー３１０は無線電話ネットワーク３３０に結合されている。図３はタワー３１０と無線電話ネットワーク３３０との間に配線接続３２０を示しているが、この接続は無線インターフェースを介してもなされ得る。有線電話ネットワーク３７０は、電話会社ネットワークで今日普通に使われている伝統的な陸上設置回線を表す。
【００１５】
無線電話ネットワーク３３０はコール・ルータ３４０を含む。コール・ルータ３４０は、着信コールを対応する加入者の電話機へ経路指定する。コール・ルータ３４０は、加入者の電話機へ別の電話機に向けられているコールを経路指定するために使用され得るプロキシ・ルータ３５０を含む。プロキシ・ルータ３５０は、プロキシ・ルータ３５０がプロキシ・コールを携帯電話機１００へ経路指定しているときに携帯電話機１００に警告をするプロキシ・コール信号メカニズム（機能）３６０を含む。好ましい実施態様では、プロキシ・コール信号メカニズム２６０は、該電話機のプロキシ・コール通知メカニズム２８０により受信されるメッセージを送ることによって、携帯電話機に着信プロキシ・コールについて警告をする。そのときプロキシ・コール通知メカニズム２８０は、異なる着信音、表示装置１３０上のテキスト、或いは他の、プロキシ・コールを示す適切な音声又は視覚手段を含む、着信コールがプロキシ・コールであるという適切な通知を、ユーザに提供することができる。
【００１６】
好ましい実施態様の範囲内のサンプルのバディー・リスト２６０が図４に示されている。このバディー・リストの各項目がバディー・キー・フォブと、対応するバディー電話機とを含むことに留意すること。好ましい実施態様は、バディーのキー・フォブが存在するけれどもそのバディーの対応する電話機が存在しなければ携帯電話機のためにプロキシ動作を許す。この理由から、バディー・リストは、バディーのキー・フォブとバディーの対応する電話機との両方を一意に特定するアイデンティファイアを含む。図４のサンプルのテーブルでは、バディー・キー・フォブ・アイデンティファイアＭｉｋｅ＿ＫＦは、対応する電話機アイデンティファイアＭｉｋｅ＿ＰＨを有する。同様に、他の項目は、＿ＰＨサフィックスを有する整合するバディー電話機に対応する＿ＫＦサフィックスを有するキー・フォブ・アイデンティファイアを有する。もちろん、バディーのキー・フォブをその電話機と整合させる図４のこの簡単な方式は例として示されている。好ましい実施態様は、明確に、バディーのキー・フォブを整合する電話機と相関させるあらゆる方法に及ぶ。
【００１７】
各バディーを一意に識別するためにキー・フォブが使用されていることを図４が仮定していることに留意すること。キー・フォブは、キー・リングに付けて携行することのできる小型の電子デバイスである。好ましい実施態様に従うキー・フォブは、パーソナル・エリア・ネットワーク（ＰＡＮ）のメンバとなる能力を有する。しかし、他のインプリメンテーションが可能であり得ることに留意すること。例えば、キー・フォブは、ＲＦエネルギーで起動されたときに一意のアイデンティファイアを送出する無線周波数アイデンティファイア（ＲＦＩＤ）チップを含むことができる。好ましい実施態様は、対応する電話機と整合させられ得る、人についての電子アイデンティファイアを提供するための任意のメカニズム又は方法に明確に及ぶ。例えば、キー・フォブ・インプリメンテーションの代わりに、人の札入れの中の、或いは人の体に埋め込まれる、独特のアイデンティファイアをその個人を一意に識別するために使用することができる。本書で検討されるキー・フォブ及びＲＦＩＤインプリメンテーションは、好ましい実施態様の範囲内の携帯電話機によって使用され得る電子アイデンティファイアの具体的な例である。
【００１８】
好ましい実施態様は、バディーの電子アイデンティファイアが検出されたけれどもそのバディーの対応する電話機が検出されないときにコールのプロキシ経路指定を可能にする。バディーの電子アイデンティファイアを検出するけれどもバディーの電話機を検出しない電話機は、そのバディーのコールを該電話機へ経路指定するように無線電話ネットワークに信号し、これにより該電話機をそのバディーのコールについてのプロキシ電話機にする。本書で使われるとき、プロキシ電話機という用語は、他の電話機に向けられたコールをそれへ経路指定し得るところの電話機を意味するために用いられる。
【００１９】
図４のバディー・リスト２６０は、いろいろな状態のいろいろなバディーを示している。このバディー・リストはビル（Ｂｉｌｌ）の電話機にあると仮定する。図４のデータは、Ｍｉｋｅ（マイク）のキー・フォブが彼の携帯電話機と共に検出されていることを示している。Ｊｉｍ（ジム）のキー・フォブも、彼の携帯電話機と共に検出されている。Ｂｏｂ（ボブ）のキー・フォブは検出されたが、彼の、整合する電話機は検出されていない。Ｒｉｃｋ（リック）のキー・フォブも、彼の整合する電話機も検出されていない。Ｓａｍ（サム）のキー・フォブは検出されているが、彼の整合する電話機は検出されていない。これは、ビル、マイク、ジム、ボブ及びサムが全て付近にいることを意味する。ビル、マイク及びジムは各々自分の携帯電話機を持っているが、ボブとサムは持っていない。
【００２０】
このバディー・リスト中のマイク及びボブの項目は確認されているが、ジムのは確認されていない。これは、もしマイクの携帯電話機の電池が切れたならば、マイクの電話機は最早検出されなくて、ビルの電話機がマイクのためにプロキシ・サービスを開始するということを意味する。しかし、バディー・リストのジムの項目は確認されていないので、もしジムの電話機の電池が切れても、バディー・リスト中のジムの項目は確認されていないからビルの電話機はジムのためにプロキシ・サービスを開始しない。ボブのキー・フォブは検出されているけれども、対応（整合）する電話機は検出されておらず、バディー・リスト中のボブの項目は確認されているので、ビルの電話機はプロキシ・サービスを開始し、ボブのコールをビルの電話機へ経路指定するように無線電話ネットワークに要求する。サムのキー・フォブは検出されており、彼の対応する電話機は検出されていないけれども、バディー・リスト中のサムについての項目は確認されていないので、ビルの電話機はサムの電話機のためのプロキシ・サービスを開始しない。
【００２１】
バディーが２つの異なる電話機のバディー・リストに載ることができることに留意しなければならない。例えば、ボブがビル及びジムの両方のバディー・リストに載っている場合、そうである。この場合、どちらがボブのコールのためにプロキシとして動作するかを決定するようにビルの電話機及びジムの電話機の間を調停するために任意の適切なアルゴリズム又はヒューリスティックが使用され得る。
【００２２】
図５を参照すると、方法５００は、図１-３に示されている携帯電話機１００のような、好ましい実施態様の携帯電話機により実行されるステップを示している。始めに、電話機のパーソナル・エリア・ネットワーク（ＰＡＮ）内の全てのデバイスが検出される（ステップ５１０）。その後、それらの検出されたデバイスのうちの１つが選択される（ステップ５２０）。もしその選択されたデバイスが電話機のバディー・リスト中にあれば（ステップ５３０＝はい）、方法５００は、その選択されたデバイスが整合する携帯電話機を有するか否か調べる（ステップ５７５）。整合する電話機を有するデバイスは、キー・フォブ、ＲＦＩＤデバイス、又は他の、電子アイデンティファイアを送信することのできるデバイスである。もし選択された電話機が整合する携帯電話機を有しなければ（ステップ５３５＝いいえ）、方法５００は、処理するべき検出されたデバイスがそれ以上あるか否か調べる（ステップ５６０）。選択されたデバイスが整合する携帯電話機を有すれば（ステップ５３５＝はい）、方法５００は、その整合する携帯電話機の存在を調べる（ステップ５４０）。もし整合する携帯電話機が存在しなければ（ステップ５４０＝いいえ）、バディーの電話機に向けられたコールをプロキシ電話機へ経路指定するべきことを示す信号が無線電話ネットワークに送られる（ステップ５５０）。もし処理するべきデバイスが他にあれば（ステップ５６０=はい）、処理されるべき検出されたデバイスがＰＡＮ内にそれ以上無くなるまでステップ５２０-５６０が繰り返される。もしステップ５４０で整合する電話機が存在するならば（５４０=はい）、そのバディーは自分自身の電話機でコールを受けることができるので、プロキシ信号は送られない。もし選択されたデバイスがバディー・リストに載っていなければ（ステップ５３０=いいえ）、プロキシ信号は送られない。処理するべき検出されたデバイスがそれ以上無ければ（ステップ５６０=いいえ）、方法５００は終了する。この様に、方法５００はバディーの電話機無しでバディーのキー・フォブがＰＡＮ内に存在するか否かを携帯電話機が判定することを可能にする。もしそうならば、携帯電話機は、そのバディーのためにプロキシ電話機になることができる。
【００２３】
図６を参照すると、方法６００は、検出されたデバイスがそのＰＡＮから去るときに携帯電話機が自動的にとるステップを示す（ステップ６１０）。始めに、それは、ＰＡＮから去ったデバイスがバディー・リストに載っているか否かを調べる（ステップ６２０）。ＰＡＮを去ったデバイスがバディー・リストに載っていれば（ステップ６２０=はい）、そのデバイスは検出されないとバディー・リストにおいてマークされる（ステップ６３０）。その後、そのバディーのためのプロキシ・サービスを終わらせるために信号が無線電話ネットワークに送られる（ステップ６４０）。ＰＡＮを去ったデバイスがバディー・リストに載っていなければ（ステップ６２０=いいえ）、何の変更も行われず、サービスは通常通りに続行される。方法６００は、検出されたデバイスが携帯電話機のＰＡＮを去るときに行われるステップを概説している。
【００２４】
図７を参照すると、方法７００は、プロキシ信号が携帯電話機から受信されたときに好ましい実施態様に従って無線電話ネットワーク３３０が行うことのできるステップを示す（７１０）。プロキシ・ルータ３５０は、コールを別の携帯電話機へ経路指定するように設定される（ステップ７２０）。この設定は、具体的な無線電話ネットワーク３３０により多くの方法で行われ得るけれども、検出された電子アイデンティファイアに対応する不在の電話機に向けられたコールが代わりにプロキシ電話機へ経路指定される限りは同じ結果を有するであろう。方法７００は、プロキシ信号が携帯電話機から受信されたときに無線電話ネットワークが行うことのできるステップを記述している。
【００２５】
図８を参照すると、方法８００は、プロキシ電話機によって代理されている携帯電話機のために無線電話ネットワークによりコールが受け取られたときにプロキシ・ルータ３５０が行うことのできるステップを概説している（ステップ８１０）。プロキシ・コール信号メカニズム３６０（図３）は信号を発生させ、それはプロキシ電話機へ送られる（ステップ８２０）。この信号は、各プロキシ電話機のためにいろいろなことを行うことができ、その機能はその電話機のセッティング及び能力により異なる。好ましい実施態様については、コールより先にプロキシ・コール信号が生じたときに別の呼び出し音を持つ能力をプロキシ電話機１００が持っていると仮定する。プロキシ・ルータ３５０はプロキシ・コール信号を送り（ステップ８２０）、その後にコールはプロキシ電話機へ経路指定され（ステップ８３０）、プロキシ電話を別の呼び出し音で鳴らせる。その代わりに、プロキシ・コールを信号する、表示装置上のテキスト又は他の視覚手段の音声も使用され得る。好ましい実施態様は、プロキシ電話機に信号を送ってからコールを前記プロキシ電話機へ経路指定し、プロキシ・コールについて適切な通知をユーザに提供するためのあらゆるメカニズム及び方法に明確に及ぶ。
【００２６】
図９において、好ましい実施態様の範囲内の方法９００は、ユーザが自分の電話のバディー・リストにバディーを付け加えることを望むときに始まる（ステップ９１０）。始めに、ユーザは、住所録からバディー情報を入手したり、新しいコンタクトを入力したり、或いはバディー情報を指定する他の任意のプロセスなど、何らかの適切な方法でバディーを指定する。その後、携帯電話機１００は無線電話ネットワークにメッセージを送ってそのバディーの確認を要求する（ステップ９１５）。無線電話ネットワークは、そのバディーの携帯電話機にメッセージを送って、そのバディーを一人のバディーとして加えるためにそのバディーの承認を要求する（ステップ９２０）。このメッセージは、テキスト、音声、又は、そのバディーが応答して承認を与えることのできる他の任意のメッセージ・フォームの形をとることができる。もし承認が与えられたならば（ステップ９２５＝はい）、バディーの携帯電話機は、該バディーをプロキシ電話機のバディー・リストに加えるための承認メッセージを無線電話ネットワークに送る（ステップ９４５）。その後、無線電話ネットワークは、プロキシ電話機に、そのバディー・リスト２５０において該バディーを確認するための承認をプロキシ電話機に送る（ステップ９５０）。このバディーは、図４のバディー・リスト２６０においてマイク及びボブについての項目に示されているように、バディー・リストにおいて確認されたバディーとしてマークされる（ステップ９５５）。もし承認が与えられなければ（ステップ９２５＝いいえ）、バディーの携帯電話機は承認の拒否を示すメッセージを無線電話ネットワークに送る（ステップ９３０）。その後、無線電話ネットワークは承認拒否メッセージをプロキシ電話機に送る（ステップ９３５）。ステップ９３５における承認の拒否の結果として、プロキシ電話機はそのバディーを自分のバディー・リストから削除する（ステップ９４０）。承認を与えるプロセスにおいて、バディーのアイデンティティを更に保護するためにパスワードが使用され得る。
【００２７】
別のインプリメンテーションでは、或る人の電話機は、或るバディーの電話機をプロキシとして承認するチャンスをその人が持つ前に、紛失していたり或いは通じなくなっているかもしれない。この場合、承認メカニズムは、キー・フォブに格納されているか或いはキー・フォブ内のデータから得られる簡単なパスワードであり得る。バディーの電話機での確認プロセス中に、バディーは“ローカル確認”を選択することができ、それはバディーが自分のパスワードを該バディーの電話機で入力するように要求する。パスワードが入力されたならば、そのバディーはバディー・リストにおいて確認される。好ましい実施態様は、バディーを確認するために承認を提供するための、現在知られているか或いは将来開発される任意の方法に及ぶ。
【００２８】
好ましい実施態様に従う１つの変化形は、プロキシ機能を選択的に可能にし、また不可能にすることを考慮する。例えば、或る女性が自分の電話機を友人に“貸す”ことを望んでいると仮定する。電話機を友人に手渡す前に、その女性は、その電話機に向けられたコールをその女性のキー・フォブの範囲の中のバディーに転送させないように、その電話機のプロキシ機能を不能にするために特別のキー・コードを入力し或いはメニュー機能を選択することができる。その電話機が戻されたならば、メニュー選択又は特別のキー・コードを介してプロキシ動作を容易に可能にすることができる。
【００２９】
他の或る電話機が存在しなくて、そのバディーがバディー・リストに載っていて、そのバディーのキー・フォブがＰＡＮの中にあれば（或いは他の電子アイデンティファイアが付近にあれば）携帯電話機がその機能を自動的に切り替えて前記の他の電話機のためにプロキシとして作用することを許すことによって、本発明は携帯電話機のために強化された機能性を提供する。更に、電話機が他の電話機のためにプロキシとして動作することを要求し、或いは他の電話機のためのプロキシ動作を終わらせるために、電話機は無線電話ネットワークに信号することができる。プロキシ・コールであることを信号するためにプロキシ電話機への各コールに無線電話ネットワークからの信号が先行することもできる。また、バディーをプロキシ電話機のバディー・リストに加えることを承認するために無線電話ネットワークを通してプロキシ電話機からバディーの電話機へ、そしてまたその逆に送られるメッセージによって、コールを転送するための承認をバディーが与えたか否か判定するプロセスもある。その結果は、非常に使いやすくて、電話機及び人がＰＡＮに出入りするときにユーザのプログラムされたニーズに自動的に適応する携帯電話機である。
【００３０】
本発明の範囲内で多くの変化形が可能であることを当業者は認めるであろう。従って、本発明はその好ましい実施態様に関して詳しく示され記述されたが、それらに対して本発明の範囲から逸脱せずに形及び細目に関してこれらの及び他の変更を加え得ることが当業者に理解されるであろう。
【図面の簡単な説明】
【００３１】
【図１】好ましい実施態様に従う携帯電話機の図である。
【図２】図１の携帯電話機の構成要素のブロック図である。
【図３】好ましい実施態様に従う電話システムのブロック図である。
【図４】好ましい実施態様の範囲内でのバディー・リストのための１つの適切なインプリメンテーションを示すテーブルのブロック図である。
【図５】そのパーソナル・エリア・ネットワーク（ＰＡＮ）内のデバイスを検出し、そのＰＡＮの中に存在し且つそのバディー・リストに載っているデバイスのためにプロキシ信号を無線電話ネットワークに送るための、図１-３の携帯電話機のための好ましい実施態様に従う方法の流れ図である。
【図６】デバイスがＰＡＮから去るときの図１-３の携帯電話機についての好ましい実施態様に従う方法の流れ図である。
【図７】携帯電話機からプロキシ信号を受信し、それに応答して、加入者に向けられたコールを別の携帯電話機へ経路指定するようにプロキシ・ルータを設定する無線電話ネットワークについての好ましい実施態様に従う方法の流れ図である。
【図８】コールを受け取ってそのコールをバディーの電話機へ経路指定する図３の無線電話ネットワークについての好ましい実施態様に従う方法の流れ図である。
【図９】バディーをバディー・リストに加える、好ましい実施態様に従う方法の流れ図である。
【図１】
2008546334.tif 000003
【図２】
2008546334.tif 000004
【図３】
2008546334.tif 000005
【図４】
2008546334.tif 000006
【図５】
2008546334.tif 000007
【図６】
2008546334.tif 000008
【図７】
2008546334.tif 000009
【図８】
2008546334.tif 000010
【図９】
2008546334.tif 000011
【国際調査報告】
2008546334.tif 000012
2008546334.tif 000013
2008546334.tif 000014